(57)【要約】【課題】ランプ口金やランプバルブに詳しくないものでも容易に口金規格あるいはランプバルブ規格を判別することができるランプゲージを提供する。【解決手段】特定の規格のランプの特徴的部分に好適に嵌合可能な口金ゲージ部２、口金ゲージ部２に形成された孔４１〜４３、５１〜５８、６１〜６８の近傍にこの孔によって特定されるランプの規格名称が表示された表示部３とを備える。【選択図】図１
0003147330.tif 000002
【実用新案登録請求の範囲】
【請求項１】
特定の規格のランプの特徴的部分に好適に嵌合可能な嵌合部と、
前記嵌合部の近傍に前記嵌合部によって特定されるランプ規格名称が表示された表示部とを備えるランプゲージ。
【請求項２】
前記嵌合部が特定の規格のランプ口金が好適に嵌合可能な複数の孔が形成された口金ゲージ部を有する請求項１に記載のランプゲージ。
【請求項３】
略薄板状の金属からなる請求項１または２に記載のランプゲージ。
【請求項４】
前記金属がステンレス鋼である請求項３に記載のランプゲージ。
【請求項５】
前記口金ゲージ部が少なくとも、
ＪＩＳ  Ｃ  ７７０９−１に定義された口金のいずれかに好適に嵌合する複数の孔部を有する請求項２〜４のいずれか一項に記載のランプゲージ。
【請求項６】
前記孔部が少なくとも、
差込み口金の口径及び差込みピンの配置に対応した略円形の孔が一つ以上形成されたＢ型用孔部と、
ねじ込み口金の口径に対応した円形の孔が一つ以上形成されたＥ型用孔部と、
ピン口金の径及び間隔に対応した孔が一つ以上形成されたＧ型用孔部とを有する請求項５に記載のランプゲージ。
【請求項７】
前記嵌合部が、
前記特徴的部分の最大外径が順次大きくなるように整列されている請求項１〜６のいずれか一項に記載のランプゲージ。
【請求項８】
前記嵌合部が、
特定の規格のランプバルブに対応する形状が描画された線部及び前記ランプバルブが好適に嵌合可能な複数の突起部からなるバルブゲージ部を有する請求項１〜７のいずれか一項に記載のランプゲージ。
【請求項９】
前記バルブゲージ部が少なくとも、
ＪＩＳ  Ｃ  ７７１０に定義された電球類ガラス球管の形式あるいはＪＩＳ  Ｃ  ７５２７に定義されたハロゲン電球の性能規定に記載の寸法を有するランプバルブのいずれかに好適に嵌合する複数の突起部を有する請求項８のいずれか一項に記載のランプゲージ。
【考案の詳細な説明】
【技術分野】
【０００１】
本考案は、ランプゲージに関する。
【背景技術】
【０００２】
ランプとは一般的に照明等に用いられる光源である。特に、電気によって可視光線を放射するランプは広く一般に使用されている。このようなランプは、フィラメント等の発光機構が封入されたランプバルブと、発光機構に電気的に接続されたランプ口金とを有し、このランプ口金に嵌合する受金を介して電源に接続されるのが一般的である。ランプ口金と受金との組み合わせは多くの場合規格化されており、発光形式、定格電力及び定格電圧等によって細かくその形状が定義されて誤接続を防止する構造になっている。このようなランプ口金の規格としては、例えば日本工業標準調査会（ＪＩＳ）によって発行されたＪＩＳ  Ｃ  ７７０９−１が知られている。ランプ口金の形状は、例えばＥ型のランプ口金にはＥ１０、Ｅ１１、Ｅ１２のようにその直径が１ｍｍ毎に規格化されているものがあり、さらにランプ口金の形状には許容誤差があるため外見のみで規格を判断することは難しい。このため、ランプの規格を判断するための機器としてランプの各規格に対応したゲージが用いられている。
【０００３】
このようなゲージの例として非特許文献１にはランプ口金の形状を検査するためのゲージが記載されている。この非特許文献１に記載のそれぞれのゲージによれば、特定の規格として製造されたランプ口金の形状の正確性や、使用中のランプ口金の磨耗状態等を厳密に検査することができる。
【０００４】
また、物体の外径を簡便に調べる器具の例として、特許文献１には携帯用リングゲージが記載されている。この特許文献１に記載の携帯用リングゲージは、ベースとなるテンプレートはプラスチック成型品からなるもので、そのテンプレートには幾つか（３〜５サイズ）の各リングサイズの穴が開いているとともに各サイズを表示してあり、リングサイズの違うテンプレートを重ね合わせ、回転軸で固定することによってコンパクトになることを特徴としている。この携帯用リングゲージによれば、指を上述の穴のいずれかに挿入してその指のサイズに適合する穴を決定するようになっており、軽くてコンパクトにまとまることによって違和感なく持ち歩くことができ、いつでも、どこでも指のサイズを測ることができる。
【非特許文献１】「電球類の口金・受金及びそれらのゲージ並びに互換性・安全性  第３部  ゲージ」、日本工業標準調査会  １９９７年３月２０日制定、２００７年６月２０日改正
【特許文献１】実用新案登録第３０９１０２７号公報
【考案の開示】
【考案が解決しようとする課題】
【０００５】
しかしながら、非特許文献１に記載のゲージは、ランプの製造者等のいわゆる当業者によってランプ口金の検査を行う目的で設計されるため、正確な形状ではあるが一般に容易に入手できるものでなく、一般家庭に常備するほどに安価なものではない。
また、特許文献１に記載の携帯用リングゲージは、円形の穴が複数開いているだけなので口金の外周面に突起等を有する複雑な形状のランプの規格を判断できないという問題がある。
また、点灯しなくなったランプを交換する際には、このランプの口金が上述の規格のどれに相当するかを当業者でない一般ユーザーが判断するが、規格名称の記載が判読できない場合等には１ｍｍ以下の微小な差を外見から判別して購入すべきランプの規格を決定するのは困難であった。
さらに、口金等の規格が異なるランプであっても、受金に対して過大な力をかけて挿入することで挿入可能となる場合もあり、このような場合には受金が変形してしまったり、定格電圧や定格電力が異なることでランプの破損等の事故が生じたりする危険性があるという問題もある。
【０００６】
本考案は、上述した事情に鑑みてなされたものであって、その目的はランプ口金やランプバルブに詳しくないものでも容易に口金規格あるいはバルブ規格を判別することができるランプゲージを提供することにある。
【課題を解決するための手段】
【０００７】
上記課題を解決するために、この考案は以下の手段を提案している。
本考案のランプゲージは、特定の規格のランプの特徴的部分に好適に嵌合可能な嵌合部と、前記嵌合部の近傍に前記嵌合部によって特定されるランプ規格名称が表示された表示部とを備えることを特徴としている。
【０００８】
この考案によれば、使用者が本考案のランプゲージにランプの特徴的部分を嵌合させることで、使用者は使用者が保有しているランプと前記嵌合部とが好適に嵌合しているかどうかが分かる。使用者は使用者が保有しているランプと前記嵌合部とが好適に嵌合する嵌合部を容易に識別することができ、さらに前記嵌合部の近傍に備えられた前記表示部によって前記ランプ規格名称を知ることができるため、使用者が保有しているランプの現物を基にしてランプの規格を容易に識別することができる。
【０００９】
また、本考案のランプゲージは、前記嵌合部が特定の規格のランプ口金が好適に嵌合可能な複数の孔が形成された口金ゲージ部を有することが好ましい。
この場合、複数設けられた前記孔に口金を嵌合させるという単純化された動作でランプの現物からランプの規格名称を識別させることができる。これにより使用者による口金規格の誤認を防止することができる。さらに、規格ごとに対応して口金ゲージ部と表示部とが組になっているので使用者が口金規格を判断するのが容易になる。
【００１０】
また、本考案のランプゲージは、略薄板状の金属からなることが好ましい。
この場合、本考案のランプゲージが略薄板状とされたことで携帯性及び収納性を高めることができ、さらに軽量なため高所作業においても安全にランプ規格名称を調べることができる。さらに、本考案のランプゲージが金属からなるので、小径の孔に大径のランプを係合させようとした際の前記孔あるいは前記ランプゲージの変形及び破損を防止することができる。
【００１１】
また、本考案のランプゲージは、前記金属がステンレス鋼であることが好ましい。
この場合、ステンレス鋼からなることで前記ランプゲージの錆つきが低減される。その結果、錆による前記孔の変形が防止され、屋外や水周り等において保管あるいは使用されても正確にランプ規格名称を示すことができる。
【００１２】
また、本考案のランプゲージは、前記口金ゲージ部が少なくとも、ＪＩＳ  Ｃ  ７７０９−１に定義された口金のいずれかに好適に嵌合する複数の孔部を有することが好ましい。
この場合、一般用として使用される口金に対して特に使用頻度が高い口金規格から一つ以上の口金規格が選択されて対応する前記孔部が設けられたことで、ランプゲージを小型化しつつ汎用性を高めることができる。
【００１３】
また、本考案のランプゲージは、前記孔部が少なくとも、差込み口金の口径及び差込みピンの配置に対応した略円形の孔が一つ以上形成されたＢ型用孔部と、ねじ込み口金の口径に対応した円形の孔が一つ以上形成されたＥ型用孔部と、ピン口金の径及び間隔に対応した孔が一つ以上形成されたＧ型用孔部とを有することが好ましい。
この場合、一般用に使用される口金として特に使用頻度が高い口金規格が、Ｂ型と、Ｅ型と、Ｇ型との形式ごとに分類されて設けられている。前記形式のそれぞれは形式ごとに特徴的な形状が目視で判別できる程度に異なっているので、使用者はランプを嵌合させるべき前記孔を大まかに識別することができる。その結果前記ランプの規格の判断を迅速かつ容易にすることができる。
【００１４】
また、本考案のランプゲージは、前記嵌合部が前記特徴的部分の最大外径が順次大きくなるように整列されていることが好ましい。
この場合、前記特徴的部分の直径が順次大きくなるように整列されているので、使用者は、小径の前記嵌合部から順にランプを嵌合させてゆき、最初に好適に嵌合する前記嵌合部を決定することができる。このため、使用者はランプの形状を意識することなく、好適に嵌合するかしないかの判断のみでランプ規格名称を知ることができる。
【００１５】
また、本考案のランプゲージは、前記嵌合部が特定の規格のランプバルブに対応する形状が描画された線部及び前記ランプバルブが好適に嵌合可能な複数の突起部からなるバルブゲージ部を有することが好ましい。
この場合、使用者が保有する様々な形状を有するランプバルブから、その形状を測定することなく前記バルブゲージ部の前記突起部に前記ランプバルブが嵌合するかしないかの判断のみでランプバルブが好適に嵌合するバルブゲージ部を決定させることができ、容易にランプバルブの規格を判断させることができる。
【００１６】
また、本考案のランプゲージは、前記バルブゲージ部が少なくともＪＩＳ  Ｃ  ７７１０に定義された電球類ガラス球管の形式あるいはＪＩＳ  Ｃ  ７５２７に定義されたハロゲン電球の性能規定に記載の寸法を有するランプバルブのいずれかに好適に嵌合する複数の突起部を有することが好ましい。
この場合、一般用として使用されるランプバルブに対して特に使用頻度が高いバルブ規格から一つ以上のバルブ規格が選択されて対応する前記バルブゲージ部が設けられたことで、ランプゲージを小型化しつつ汎用性を高めることができる。
【考案の効果】
【００１７】
本考案のランプゲージによれば、使用者が保有しているランプと前記嵌合部とが好適に嵌合する嵌合部を容易に識別させることで、ランプ口金やランプバルブに詳しくないものでも保有しているランプの口金規格あるいはバルブ規格を容易に判別することができる。
【考案を実施するための最良の形態】
【００１８】
（第１実施形態）
以下、本考案の第１実施形態のランプゲージについて図１から図５を参照して説明する。
図１に示すように、ランプゲージ１は、ステンレス鋼からなる薄板材で形成され、嵌合部となる口金ゲージ部２と、表示部３とが設けられている。
【００１９】
口金ゲージ部２には複数の孔が空けられた孔部が設けられており、Ｂ型用孔部４と、Ｅ型用孔部５と、Ｇ型用孔部６とに分類されて設けられている。
【００２０】
Ｂ型用孔部４はＪＩＳ  Ｃ  ７７０９−１に定義される差込み口金に対応して設けられた孔部であり、本実施形態では最も一般に採用されているＢ型あるいはＢＡ型のランプ口金の形状に対応した孔部が設けられている。Ｂ型用孔部には、略真円形の孔４１〜４３を有しかつ周縁部に互いに対向する一対の凹部４１ａ〜４３ａを有する孔が略同形で大きさを異ならせるように孔４１〜４３の直径が小さいものから順に整列されて複数形成されている。Ｂ型用孔部４のそれぞれの孔及び凹部の構成は下記の表１及び表２に示すように構成されている。
【００２１】
【表１】
0003147330.tif 000003
【００２２】
【表２】
0003147330.tif 000004
【００２３】
Ｅ型用孔部５は、ＪＩＳ  Ｃ  ７７０９−１に定義されるねじ込み口金に対応して設けられた孔部であり、本実施形態では最も一般的に採用されているＥ型あるいはＲ型のランプ口金の形状に対応した孔部が設けられている。Ｅ型用孔部５には、真円形の孔５１〜５８が大きさを異ならせるようにその直径が小さいものから順に整列されて複数形成されている。Ｅ型用孔部５のそれぞれの孔の構成は下記の表３のようになっている。
【００２４】
【表３】
0003147330.tif 000005
【００２５】
Ｇ型用孔部６は、ＪＩＳ  Ｃ  ７７０９−１に定義されるピン口金に対応して設けられた孔部であり、口金規格に対応して離間して形成された一対の孔６１〜６８が大きさ及び一対の孔の間隔が小さいものから順に整列されて複数形成されている。Ｇ型用孔部のそれぞれの孔の構成は下記の表４のようになっている。
【００２６】
【表４】
0003147330.tif 000006
【００２７】
表示部３は、孔４１〜４３、孔５１〜５８、孔６１〜６８のそれぞれの近傍に、上述の表１〜表４に示すように孔のそれぞれに対応する規格の名称が刻印されている。
【００２８】
以上に説明する構成の、本実施形態のランプゲージ１の作用について、点灯しなくなったランプ１０、１１、１２を同型の新しいランプに交換する際の動作を例に図２から図５を参照しながら説明を行う。ここでは、ランプ１０はＥ１１型の口金を有するものとして説明する。また、ランプ１１はＧＹ６．３５の口金を有するものとして説明する。また、ランプ１２はＢ２２ｄの口金を有するものとして説明する。なお、使用者はランプゲージ１を使用する前にはこれらのランプ１０〜１２の口金規格が分からないものとして説明する。
【００２９】
まず、使用者は点灯しなくなったランプ１０〜１２を受金から取り外す。この際、これらのランプの規格名称がランプに記載されていて判読可能であればこの情報を基に同型のランプを手配することができる。しかし、熱や光によって規格名称の表示が劣化して判読しにくいときや、規格名称が記載されていない際には、ランプゲージ１を用意してランプの口金形状からこのランプの規格名称を調べる。
【００３０】
使用者は、ランプ１０〜１２の口金１０ａ、１１ａ、１２ａとランプゲージ１の孔とを比較して、これらのランプがＢ型、Ｅ型、Ｇ型、のいずれの形式であるかを判断する。このとき、図２に示すように略円柱状で口金１０ａ外周面が螺旋状の電球ねじ形状であればＥ型、図４に示すように互いに平行な二本のピン１１ａがあればＧ型、図５に示すように口金１２ａの外周面から径方向外方に突出して形成された差込みピン１２ｂがあればＢ型であることが、ランプゲージ１の表示部３に記載されたアルファベットのＢ、Ｅ、Ｇの記載から分かる。
【００３１】
続いて、使用者は、ランプ１０〜１２の口金をランプゲージ１に設けられた孔に挿入する。例えば、Ｅ型の口金を有するランプ１０の場合には、図２に示すように、円形の孔５１〜５８が形成されたＥ型用孔部５を使用する。図３に示すように、使用者はランプ１０の口金１０ａをＥ型用孔部５のうち使用者が口金１０ａの直径よりも小さいと考える適宜の孔、例えば孔５３に電極側から挿入する。このとき、孔５３には口金の先端のみが挿入され、電球ねじ部分は挿入されない。従って最も小さい孔５３はこのランプ１０の規格に対応していないことが判別される。
【００３２】
次に、図３にさらに示すように、使用者は孔５３に隣接する孔５４にランプ１０の口金を挿入する。ここで、ランプ１０の口金は電球ねじ部分が孔５４に挿入されて、穴５４に対して好適に嵌合する。従ってこの孔５４はこのランプ１０の口金規格に対応していることが判別される。さらに、孔５４の近傍に配置された表示部３４Ｅに刻印された「Ｅ１１」の表示からこの孔５４がＥ１１型に対応した孔であることが分かり、その結果このランプ１０がＥ１１型の口金を有するランプであることが判別できる。
【００３３】
このようにして、ランプ１０の口金１０ａが好適に嵌合する孔が一つ決定され、ランプを手配して所望のランプを入手することができる。
【００３４】
なお、Ｅ型用孔部において口金が口金ゲージ部の孔に好適に嵌合した状態とは、口金が孔に挿入されることができ、かつ口金の中心軸線がランプゲージの面に対して垂直になるように支持されている状態である。
【００３５】
なお、必要に応じて、図３にさらに示すように、使用者は必要に応じて孔５４に隣接して孔５４よりもさらに大きな直径の孔５５にこのランプ１０の口金１０ａを挿入し、口金１０ａの軸線がランプゲージ１の面に対して揺動可能であることを確認してこの孔５５がこのランプ１０の規格に対応するものでないことを確認してもよい。
【００３６】
口金の直径には製造上の許容誤差があり、さらに受金に対してクリアランスを有するため、口金の直径は孔の直径に対して０．３ｍｍ〜０．５ｍｍ程度小さくなっている。このため、口金規格に規定された直径よりも一段階小さな孔に対してはこのランプの口金を挿入することができず、逆に口金規格に規定された直径よりも一段階大きな穴に対してはこのランプの口金を挿入したあとに口金の軸線がランプゲージの面に対して揺動可能になる。
【００３７】
また、Ｇ型の口金についても、上述のＥ型の口金を有するランプ１０の規格名称を調べる動作と同様に、図４に示すように口金に設けられたピン１１ａをＧ型用孔部６、例えば孔６４〜６６へ小さい順に挿入してゆくことで口金が好適に嵌合する孔が一つ（一対）決定されて口金規格を知ることができる。
【００３８】
また、Ｇ型用孔部６において口金が孔６１〜６８に好適に嵌合した状態とは、口金の双方のピンが孔に挿入されることができ、かつピンの中間線がランプゲージの面に対して垂直になるように支持されている状態である。例えば図４においては孔６５においてランプ１１のピン１１ａが好適に嵌合している。
【００３９】
また、図５に示すように、Ｂ型の口金についても、上述と同様の方法で口金を孔に挿入してゆくことで口金及び差込みピンが好適に嵌合する孔が一つ決定されて口金規格を知ることができる。
【００４０】
Ｂ型用孔部４において口金が孔４１〜４３に好適に嵌合した状態とは、口金が孔に挿入されることができ、かつ口金の中心軸線がランプゲージの面に対して垂直に支持され、さらにすべての差込みピンが凹部を貫通できる状態である。例えば、図５においては孔４３及び凹部４３ａにおいてランプ１２の口金１２ａ及び差込みピン１２ｂが好適に嵌合している。
【００４１】
以上説明したように、本実施形態に係るランプゲージ１によれば、使用者がランプゲージ１にランプ１０〜１２を嵌合させることで、使用者は使用者が保有しているランプ１０〜１２と嵌合部となる口金ゲージ部２の孔４１〜４３、５１〜５８、６１〜６８の中から好適に嵌合する孔を容易に識別することができる。
【００４２】
さらに上述の孔の近傍に設けられた表示部３１Ｂ〜３３Ｂ、３１Ｅ〜３８Ｅ、３１Ｇ〜３８Ｇによってランプ規格名称を知ることができるため、ランプ口金やランプバルブに詳しくないものでも保有しているランプの現物を基にして口金規格を容易に判別することができる。
【００４３】
また、口金ゲージ部２がランプの口金と嵌合する複数の孔４１〜４３、５１〜５８、６１〜６８からなるので、孔４１〜４３、５１〜５８、６１〜６８に口金を嵌合させるという単純化された動作でランプの現物からランプの規格名称を識別させることができる。これにより使用者による口金規格の誤認を防止することができる。さらに、規格ごとに対応して口金ゲージ部と表示部とが組になっているので使用者が口金規格を判断するのが容易になる。
【００４４】
また、ランプゲージ１が略薄板状とされたことで携帯性及び収納性を高めることができ、さらに軽量なため高所作業においても安全にランプ規格名称を調べることができる。
さらに、本考案のランプゲージが金属からなるので、小径の孔に大径のランプを係合させようとした際の孔の変形及び破損を防止することができる。
【００４５】
また、ランプゲージ１がステンレス鋼からなることでランプゲージ１における錆の発生が低減される。その結果、錆による孔４１〜４３、５１〜５８、６１〜６８の変形が防止され、屋外や水周り等において保管あるいは使用されても正確にランプ規格名称を示すことができる。
【００４６】
また、一般用として使用される口金に対して特に使用頻度が高い口金規格であるＢ型、Ｅ型、Ｇ型の形式の口金に対応する孔４１〜４３、５１〜５８、６１〜６８を設けたので、ランプゲージ１を小型化しつつ汎用性を高めることができる。
【００４７】
また、一般用に使用される口金として特に使用頻度が高い口金規格が、Ｂ型用孔部４と、Ｅ型用孔部５と、Ｇ型用孔部６として形式ごとに分類されて設けられているので、使用者はランプを嵌合させるべき前記孔を大まかに識別することができる。その結果前記ランプの規格の判断を迅速かつ容易にすることができる。
【００４８】
また、穴４１〜４３、５１〜５８、６１〜６８の直径が順次大きくなるように整列されているので、使用者は、小径の前記孔から順にランプを嵌合させてゆき、最初に好適に嵌合する孔を決定することができる。このため、使用者はランプの形状を意識することなく、好適に嵌合するかしないかの判断のみでランプ規格名称を知ることができる。
【００４９】
（第二実施形態）
次に、本考案の第二実施形態のランプゲージについて図６から図８を参照して説明する。なお、以下に説明する各実施形態において、上述した第１実施形態のランプゲージと構成を共通とする箇所には同一符号を付けて、説明を省略することにする。
本実施形態のランプゲージ１００、２００は、口金ゲージ部２に代えてバルブゲージ部１０１〜１０８、２０１〜２１４が設けられている点において第一実施形態と構成が異なっている。
【００５０】
図６及び図７に示すように、ランプゲージ１００、２００は紙やゴムパッド等の薄い素材からなり、ランプゲージ１００、２００のそれぞれは嵌合部となるバルブゲージ部１０１〜１０８、２０１〜２１４と、表示部Ｃ１０１（ａ〜ｅ）〜Ｃ１０８、Ｃ２０１（ａ〜ｇ）〜Ｃ２１４とを有する。
【００５１】
バルブゲージ部１０１〜１０８は、ＪＩＳ  Ｃ  ７７１０に記載の電球のガラス球管の形式における形式のうち、一般的に使用頻度の高いものが選択され、形式ごとに分類されている。また、バルブゲージ部２０１〜２１４は、ＪＩＳ  Ｃ  ７５２７に記載のハロゲン電球の性能規定に定義された寸法のうち、特にハロゲン電球の中で一般的に使用頻度の高いものが選択され、形式ごとに分類されている。バルブゲージ部１０１〜１０８、２０１〜２１４のそれぞれの構成は下記の表５のようになっている。
【００５２】
【表５】
0003147330.tif 000007
【００５３】
以下、バルブゲージ部１０１について詳述する。なお、バルブゲージ部１０２〜１０８、２０１〜２１４についてはバルブゲージ部１０１と同様の配置方法であるので、説明を省略する。
【００５４】
バルブゲージ部１０１は、ランプバルブの外形線が描画された線部Ｌ１０１ａ〜Ｌ１０１ｆと、線部Ｌ１０１ａ〜Ｌ１０１ｆのそれぞれに対してランプゲージの面に立設されたゴム等の可撓性を有する素材からなる一対の突起部（Ｐ１０１ａ−１、Ｐ１０１ａ−２）〜（Ｐ１０１ｆ−１、Ｐ１０１ｆ−２）とを有する。
【００５５】
なお、バルブゲージ部１０２〜１０８、２０２〜２１４においては、線部は線部Ｌ１０２〜Ｌ１０８、Ｌ２０２〜Ｌ２１４として省略して表記し、突起部は、突起部Ｐ１、Ｐ２として省略して表記している。
【００５６】
線部Ｌ１０１ａ〜Ｌ１０１ｆは、ランプバルブを側面視した際の輪郭形状が描画されている。また、個々のランプバルブに対応する線部Ｌ１０１ａ〜Ｌ１０１ｆは、例えば図６に示すように口金側の端部Ａがそろえて描画されている。さらに、同形式のランプバルブの中で複数のサイズのランプバルブの最大外径が順次大きくなるように整列されて描画されている。
【００５７】
突起部（Ｐ１０１ａ−１、Ｐ１０１ａ−２）〜（Ｐ１０１ｆ−１、Ｐ１０１ｆ−２）は線部の線上でランプバルブの特徴的部分に嵌合するようにランプゲージの面に垂直に配置されている。例えば、Ｐ１０１ａ−１、Ｐ１０１ａ−２は、線部Ｌ１０１ａ上に配置され、この線部Ｌ１０１ａに対応するランプバルブの最大外径を示すように離間して二つ配置されている。以下、他の突起部も同様に最大外径を示す位置関係になるように配置されている。また、突起部にはゴムや熱可塑性エラストマー等の高分子材料を採用することができる。
【００５８】
また、表示部Ｃ１０１ａ〜ｆは、線部Ｌ１０１ａ〜Ｌ１０１ｆのそれぞれの近傍に線部Ｌ１０１ａ〜Ｌ１０１ｆ及び突起部（Ｐ１０１ａ−１、Ｐ１０１ａ−２）〜（Ｐ１０１ｆ−１、Ｐ１０１ｆ−２）によって特徴付けられたランプバルブ規格の名称が記載されているものである。例えば、バルブゲージ部１０１にはＰＳ型を示す「ＰＳ」に続いてサイズである「３５」〜「７５」が記載されている。以下同様にバルブゲージ部１０２〜１０８、２０１〜２１４においても上述した対応関係にあるランプバルブの型式およびサイズを示すアルファベット及び数字が記載されている。
【００５９】
なお、本実施形態の線部及び表示部は、高密度に配置された複数の線部と表示部との対応付けを容易にするために、線部の色と表示部の色を対応させている構成となっている。また、限られた色数でより多くの線部が描画でき、線の密度が高い部分での視認性を高めるように、線部のいくつかには点線が採用されている。
【００６０】
以上に説明する構成の、本実施形態のランプゲージ１００、２００の作用について、点灯しなくなったランプ１３を同型の新しいランプに交換する際の動作を例に図８を参照しながら説明を行う。なお、本実施形態ではランプ１３はＪＤＲ５０φ型のハロゲン電球として説明する。また、使用者はこのランプゲージ１００、２００を使用する前はこのランプ１３の規格名称を知らないものとして説明する。
【００６１】
まず、使用者は点灯しなくなったランプ１３を受金から取り外す。この際、ランプ１３の規格名称がランプ１３に記載されていて判読可能であればこの情報を基に同型のランプを手配することができる。
【００６２】
しかし、熱や光によって規格名称の表示が劣化して判読しにくいときや、規格名称が記載されていない際には、ランプゲージ１００、２００を用意してランプのバルブ形状からこのランプの規格名称（形式とサイズ）を調べる。
【００６３】
まず、使用者は、ランプ１３のランプバルブ１３ａとランプゲージ１００、２００のそれぞれのバルブゲージ部に設けられた線部とを比較して、その外部形状からこのランプ１３がいずれの形式であるかを判断する。ランプバルブ１３ａの側面視形状に着目して図６及び図７に示すランプゲージ１００、２００と形状を比較することで、このランプ１３がバルブゲージ部２０１に記載のＪＲ型、ＪＤＲ型、ＪＰ型のランプであることが分かる。
【００６４】
続いて使用者は、図８に示すように、判別されたバルブ形式のうちどのサイズ規格が手持ちのランプに対応しているかを調べるために、ランプバルブ１３ａをバルブゲージ部２０１に当てる。このとき、使用者はランプバルブ１３ａの最大外径部分が突起部の間に位置するような位置関係に配置する。
【００６５】
このとき、突起部は可撓性を有するので、このランプ１３よりも小さいランプに対応する突起部（この場合は突起部Ｐ２０１ａ−１、Ｐ２０１ａ−２）はランプバルブ１３ａに接触して湾曲される。また、このランプ１３のバルブ規格に対応する突起部（この場合は突起部Ｐ２０１ｂ−１、Ｐ２０１ｂ−２）は、ランプバルブ１３ａの最大外径φ２に相当する部分において湾曲されずかつランプバルブ１３ａの外周面に接触する。ランプバルブ１３ａと突起部Ｐ２０１ｂ−１、Ｐ２０１ｂ−２とがこのように接触する位置関係が、ランプバルブ１３ａと突起部Ｐ２０１ｂ−１、Ｐ２０１ｂ−２が好適に嵌合する状態であり、このとき、好適に嵌合した突起部Ｐ２０１ｂ−１、Ｐ２０１ｂ−２が位置する線部Ｌ２０１ｂの近傍の表示部Ｃ２０１ｂに記載された規格名称であるＪＲ・ＪＤＲ５０φが、このランプバルブ１３の規格名称である。なお、ＪＲ型とＪＤＲ型との判別のために第一実施形態で説明したランプゲージ１の口金ゲージ部２を使用してもよい。
【００６６】
なお、ランプバルブ１３ａとバルブゲージ部２０１との位置関係は、上述のように口金側を基端としたときに先端の近傍が最大外径φ２となるランプバルブの場合には、図８に示すように口金からランプバルブ１３ａに向かう方向とランプゲージ１００、２００の面方向とが垂直な位置関係で突起部と嵌合させることができるが、ランプをランプゲージ１００、２００の面に対して口金からランプバルブに向かう方向とランプゲージ１００、２００の面方向とが一致する位置関係にして、ランプバルブと線部とのそれぞれの輪郭が略一致するように配置してランプバルブと突起部との接触状態を判断することもできる。
【００６７】
以上説明したように、本実施形態に係るランプゲージ１００、２００によれば、使用者が例えばランプゲージ２００のバルブゲージ部２０１にランプバルブ１３ａを嵌合させることで、使用者は使用者が保有しているランプ１３と好適に嵌合する突起部Ｐ２０１ｂ−１、Ｐ２０１ｂ−２を容易に識別することができる。そのためランプ口金やランプバルブに詳しくないものでも保有しているランプのバルブ規格を容易に判別することができる。
【００６８】
また、様々な形状を有するランプバルブから、その形状を測定することなく例えばバルブゲージ部２０１の突起部Ｐ２０１ｂ−１、Ｐ２０１ｂ−２にランプバルブ１３ａが嵌合するかしないかの判断のみでランプバルブ１３ａが好適に嵌合するバルブゲージ部２０１を決定させることができ、容易にランプバルブの規格を判断させることができる。
【００６９】
また、バルブゲージ部１０１〜１０８、２０１〜２０８において一般用として使用されるランプバルブに対して特に使用頻度が高いバルブ規格が選択されたことで、ランプゲージ１００、２００を小型化しつつ汎用性を高めることができる。また、ランプゲージ１００、２００が紙やゴムシート等の可撓性を有する素材からなるので、このランプゲージ１００、２００を丸めたり折りたたんだりすることができるので携帯性がよい。
【００７０】
以上、本考案の実施形態について図面を参照して詳述したが、具体的な構成はこの実施形態に限られるものではなく、本考案の要旨を逸脱しない範囲の設計変更等も含まれる。
例えば、本考案の実施形態で例示したランプ規格は一例であり、ＪＩＳＣ７７０９−１に定義された口金形状やＪＩＳＣ７７１０に定義された電球類ガラス球管の形式に対応させることができる。
【００７１】
また、本実施形態では、Ｅ型用孔部には一般的に使用されるＥ３９型に対応する口金が設けられていない構成としたが、Ｅ２７型及びＥ４０型の口金は一般用にはほとんど製造されていないのでＥ２６型に対応した孔に挿入できない口金はＥ３９型と判断して差し支えないので省略されている。しかし、これに限らずＥ２７型、Ｅ３９型およびＥ４０型に対応する孔を設ける構成としてもよい。
【００７２】
また、本考案の第一実施形態のランプゲージと第二実施形態のランプゲージとのそれぞれの一部あるいは全部を組み合わせて、口金ゲージ部とバルブゲージ部とをともに備えるランプゲージとすることができる。
【００７３】
また、本考案の第二実施形態では、ランプゲージ１００、２００における突起部Ｐ１、Ｐ２等はランプバルブの特徴的部分の一例としてランプバルブの最大外径に対応するように配置されているが、これ以外にも、例えばランプバルブの先端部分に隆起を有する場合（例えば図７に符号２１３で示すようなＪＰＤ型のランプバルブ）には、この隆起に好適に嵌合する突起部を備えることでもこのランプバルブを特徴付けることができる。このように最大外径以外にも適宜の特徴的部分に対して本考案の突起部を配置することで、本考案と同様に特徴的部分によってランプバルブの型式を識別させることができるという効果を奏する。
【００７４】
また、本考案の第二実施形態では、ランプゲージは紙やゴム等の可撓性を有する素材からなる構成を採用したが、これに限らずプラスチック等の硬質な樹脂等を採用することもできる。この場合、ランプゲージを折りたたむためにランプゲージを適宜分割し、蝶番や鳩目等で揺動自在に連結する構成としてもよい。
【００７５】
また、本考案の第二実施形態では、突起部がゴムからなる構成を採用したが、これに限らず、ランプバルブの表面に傷を付けず可撓性を有する適宜の素材を採用することができる。
【００７６】
また、本考案の第二実施形態では、突起部が可撓性を有する構成としたが、これに限らず、ランプバルブが接触することによりランプゲージの面に対して垂直方向に進退自在に配置された硬質な突起部を有する構成とすることもできる。
【図面の簡単な説明】
【００７７】
【図１】本考案の第一実施形態のランプゲージの構成を示す図である。
【図２】同ランプゲージの使用時の動作を示す図である。
【図３】同ランプゲージの使用時の動作を示す図である。
【図４】同ランプゲージの使用時の動作を示す図である。
【図５】同ランプゲージの使用時の動作を示す図である。
【図６】本考案の第二実施形態のランプゲージの一部の構成を示す図である。
【図７】同ランプゲージの一部の構成を示す図である。
【図８】本考案の第二実施形態のランプゲージの使用時の動作を示す図である。
【符号の説明】
【００７８】
１、１００、２００  ランプゲージ
２  口金ゲージ部（嵌合部）
１０１〜１０８、２０１〜２１４  バルブゲージ部（嵌合部）
４  Ｂ型用孔部（孔部）
５  Ｅ型用孔部（孔部）
６  Ｇ型用孔部（孔部）
３、Ｃ１０１ａ〜Ｃ１０１ｆ、Ｃ１０２〜Ｃ１０８、Ｃ２０１ａ〜Ｃ２０１ｇ、Ｃ２０２〜Ｃ２１４  表示部
４１〜４３、５１〜５８、６１〜６８  孔
Ｌ１０１ａ〜Ｌ１０１ｆ、Ｌ１０２〜Ｌ１０８、Ｌ２０１ａ〜Ｌ２０１ｇ、Ｌ２０２〜Ｌ２１４  線部
Ｐ１、Ｐ２、・・・  突起部
【図１】
0003147330.tif 000008
【図２】
0003147330.tif 000009
【図３】
0003147330.tif 000010
【図４】
0003147330.tif 000011
【図５】
0003147330.tif 000012
【図６】
0003147330.tif 000013
【図７】
0003147330.tif 000014
【図８】
0003147330.tif 000015
【手続補正書】
【提出日】平成20年10月20日(2008.10.20)
【手続補正１】
【補正対象書類名】実用新案登録請求の範囲
【補正対象項目名】全文
【補正方法】変更
【補正の内容】
【実用新案登録請求の範囲】
【請求項１】
特定の規格のランプの特徴的部分に好適に嵌合可能な嵌合部と、
前記嵌合部の近傍に前記嵌合部によって特定されるランプ規格名称が表示された表示部とを備えるランプゲージ。
【請求項２】
前記嵌合部が特定の規格のランプ口金が好適に嵌合可能な複数の孔が形成された口金ゲージ部を有する請求項１に記載のランプゲージ。
【請求項３】
略薄板状の金属からなる請求項１または２に記載のランプゲージ。
【請求項４】
前記金属がステンレス鋼である請求項３に記載のランプゲージ。
【請求項５】
前記口金ゲージ部が少なくとも、
ＪＩＳ  Ｃ  ７７０９−１に定義された口金のいずれかに好適に嵌合する複数の孔部を有する請求項２〜４のいずれか一項に記載のランプゲージ。
【請求項６】
前記孔部が少なくとも、
差込み口金の口径及び差込みピンの配置に対応した略円形の孔が一つ以上形成されたＢ型用孔部と、
ねじ込み口金の口径に対応した円形の孔が一つ以上形成されたＥ型用孔部と、
ピン口金の径及び間隔に対応した孔が一つ以上形成されたＧ型用孔部とを有する請求項５に記載のランプゲージ。
【請求項７】
前記嵌合部が、
前記特徴的部分の最大外径が順次大きくなるように整列されている請求項１〜６のいずれか一項に記載のランプゲージ。
【請求項８】
前記嵌合部が、
特定の規格のランプバルブに対応する形状が描画された線部及び前記ランプバルブが好適に嵌合可能な複数の突起部からなるバルブゲージ部を有する請求項１〜７のいずれか一項に記載のランプゲージ。
【請求項９】
前記バルブゲージ部が少なくとも、
ＪＩＳ  Ｃ  ７７１０に定義された電球類ガラス球管の形式あるいはＪＩＳ  Ｃ  ７５２７に定義されたハロゲン電球の性能規定に記載の寸法を有するランプバルブのいずれかに好適に嵌合する複数の突起部を有する請求項８に記載のランプゲージ。